【手続補正書】
【提出日】平成18年10月23日(2006.10.23)
【手続補正１】
【補正対象書類名】明細書
【補正対象項目名】特許請求の範囲
【補正方法】変更
【補正の内容】
【特許請求の範囲】
【請求項１】  複数のブラケット構成部材を組み立てて、コンピュータディスプレイスクリーンを支持体に取り付けるための複数のブラケットにするのに適したキットであって、前記キットは、それぞれ形態の異なる前記複数のブラケットに組み立てられるようになっている複数のブラケット構成部材を備え、前記複数のブラケット構成部材のうちの少なくとも１つが、コンピュータディスプレイスクリーンを着脱可能に連結するように構成されたホルダを備え、
前記複数のブラケットのうちの第１のブラケットはクランプマウントを備え、前記クランプマウントは前記複数のブラケット構成部材のうちの、前記ホルダを含む第１の複数のブラケット構成部材から成る組立品を備え、前記クランプマウントは前記ホルダを前記支持体の縁部に取り付けるのに適しており、
前記複数のブラケットのうちの第２のブラケットは壁マウントを備え、前記壁マウントは前記複数のブラケット構成部材のうちの、前記ホルダを含む第２の複数のブラケット構成部材から成る組立品を備え、前記壁マウントは前記ホルダを前記支持体の垂直面に取り付けるのに適しており、
前記複数のブラケットのうちの第３のブラケットはフラットマウントを備え、前記フラットマウントは前記複数のブラケット構成部材のうちの、前記ホルダを含む第３の複数のブラケット構成部材から成る組立品を備え、前記フラットマウントは前記ホルダを前記支持体の水平面に取り付けるのに適している、
ことを特徴とするキット。
【請求項２】  前記複数のブラケット構成部材のうちの１つが第１の部材であり、前記第１の部材は第１のフランジと前記第１のフランジに略垂直に取り付けられた第２のフランジとを有し、前記第１のフランジは内面および外面を有し、前記複数のブラケット構成部材を組み立てて前記クランプマウントおよび前記壁マウントのうちの一方にするときに、前記ホルダを前記第１のフランジの前記内面に取り付けることも前記外面に取り付けることも可能であることを特徴とする請求項１に記載のキット。
【請求項３】  前記第１の部材の前記第１のフランジと前記第２のフランジとは、長さが等しくないことを特徴とする請求項２に記載のキット。
【請求項４】  前記複数のブラケット構成部材のうちの１つが第２の部材であり、前記第２の部材は、第３のフランジと前記第３のフランジに略垂直に取り付けられた第４のフランジとを有し、前記第３および第４のフランジのどちらか一方が前記第１の部材の前記第２のフランジの前記内面に取り付けられるようになっており、それによって前記クランプマウントが形成されていることを特徴とする請求項２に記載のキット。
【請求項５】  前記第２の部材の前記第３のフランジと前記第４のフランジとは、長さが等しくないことを特徴とする請求項４に記載のキット。
【請求項６】  前記支持体の前記縁部に係合させるために、前記第２の部材に対して可動式に連結されるようになっている手段を備えていることを特徴とする請求項４に記載のキット。
【請求項７】  前記手段はネジを備えていることを特徴とする請求項６に記載のキット。
【請求項８】  前記手段はクランププレートをさらに備えていることを特徴とする請求項７に記載のキット。
【請求項９】  前記複数のブラケット構成部材はねじ付きロッドおよびナットを備え、前記ねじ付きロッドを前記ホルダと前記支持体の孔とに通し、前記支持体の下方に延在する前記ねじ付きロッドの部分に前記ナットを固定することで前記フラットマウントを形成し、これによって、前記ホルダが前記支持体に取り付けられるようになっていることを特徴とする請求項１に記載のキット。
【請求項１０】
それぞれデバイスを支持面に取り付けるのに適した複数のデバイス取付機構が組み立てられるようになっているキットであって、前記キットは複数の取付機構構成部材を備え、前記複数の取付機構構成部材は、前記デバイスを取り付けるのに適したシャフトホルダと、第１のフランジおよび前記第１のフランジに略垂直に取り付けられた第２のフランジを有する第１の部材と、第３のフランジおよび前記第３のフランジに略垂直に取り付けられた第４のフランジを有する第２の部材とを少なくとも備え、
前記複数の取付機構構成部材は、前記シャフトホルダを前記支持面に取り付けるために、それぞれ形態の異なる、クランプマウント、壁マウントおよびフラットマウントを備えた複数のデバイス取付機構に選択的に組み立てられるようになっており、
前記複数のデバイス取付機構のうちの１つは、前記シャフトホルダを前記支持面の縁部に取り付けるのに適した前記クランプマウントを備え、前記クランプマウントは少なくとも前記シャフトホルダを備え、前記シャフトホルダは、前記第１の部材の前記第１のフランジと、前記第１の部材の前記第２のフランジに取り付けられた前記第２の部材の前記第４のフランジとに取り付けられ、
前記複数のデバイス取付機構のうちの別の１つは、前記シャフトホルダを前記支持面の垂直面に取り付けるのに適した前記壁マウントを備え、前記壁マウントは少なくとも前記シャフトホルダを備え、前記シャフトホルダは前記第１の部材の前記フランジの一方に取り付けられ、
前記複数のデバイス取付機構のうちのさらに別の１つは、前記シャフトホルダを前記支持面の水平面に取り付けるのに適した前記フラットマウントを備え、前記フラットマウントは、少なくとも前記シャフトホルダと、前記シャフトホルダを前記支持面に固定する手段とを備えている、
ことを特徴とするキット。
【請求項１１】  それぞれ形態の異なる複数の支持面のうちの１つにデバイスを取り付けるためのブラケットを複数の構成部材から組み立てる方法であって、
それぞれ形態の異なる複数のブラケットに組み立てられるようになっている複数の構成部材を用意する工程であって、前記複数の構成部材のうちの少なくとも１つが、前記デバイスを着脱可能に支持するようになっている開口部が形成されたシャフトホルダであり、前記複数のブラケットのうちの少なくとも１つが、前記複数の構成部材の全部より少ない構成部材から組み立てられるようになっている工程と、
前記複数のブラケットの前記形態から、前記複数の支持面の１つに取り付けるのに適した１つの形態を選択する工程と、
前記複数の構成部材から、前記選択されたブラケットの形態に組み立てるための複数の構成部材を選択する工程と、
前記構成部材のうちの、少なくとも前記シャフトホルダを含む前記選択された複数の構成部材を組み立てて、前記選択されたブラケットの形態にする工程と、を含み、
前記複数のブラケットのうちの第１のブラケットは、前記ブラケットを支持面の縁部に取り付けるのに適したクランプマウントを備え、前記複数のブラケットのうちの第２のブラケットは、前記ブラケットを支持面の垂直面に取り付けるのに適した壁マウントを備え、前記複数のブラケットのうちの第３のブラケットは、前記ブラケットを支持面の水平面に取り付けるのに適したフラットマウントを備えている、
ことを特徴とする方法。
【請求項１２】  前記複数の構成部材は、ねじ付き部材と、第１のフランジおよび前記第１のフランジに略垂直に取り付けられた第２のフランジを有する第１の部材と、第３のフランジおよび前記第３のフランジに略垂直に取り付けられた第４のフランジを有する第２の部材とを備えていることを特徴とする請求項１１に記載の方法。
【請求項１３】  前記組立工程は、前記ねじ付き部材を用いて前記シャフトホルダを前記第１の部材に取り付ける工程を含むことを特徴とする請求項１１に記載の方法。
【請求項１４】  前記第２の部材を前記第１の部材に取り付ける工程を含むことを特徴とする請求項１３に記載の方法。
【請求項１５】  前記構成部材は、開口部を有するクランププレートをさらに備え、前記組立工程は、前記ねじ付き部材が前記クランププレートの前記開口部を貫通した状態で、前記ねじ付き部材を前記シャフトホルダに取り付ける工程を含むことを特徴とする請求項１１に記載の方法。
【請求項１６】  前記組立工程は、前記ブラケットを組み立てる際に前記複数の構成部材の全部を連結する工程を含むことを特徴とする請求項１１に記載の方法。
【請求項１７】  複数の支持体にデバイスを取り付けるためにブラケットを複数の構成部材から組み立てる方法であって、
それぞれ形態の異なる複数のブラケットに組み立てられるようになっている複数の構成部材を用意する工程であって、前記複数の構成部材のうちの少なくとも１つが、前記デバイスを着脱可能に支持するようになっている開口部が形成されたシャフトホルダであり、前記複数のブラケットのうちの少なくとも１つが、前記複数の構成部材の全部より少ない構成部材から組み立てられる工程と、
前記複数の構成部材のうちの、少なくとも前記シャフトホルダを含む複数の構成部材を組み立てて、前記複数のブラケットのうちの１つを作成する工程と、を含み、
前記１つのブラケットは、複数の支持体のうちの１つに取り付けるために、クランプマウント、壁マウントおよびフラットマウントから成る群より選択されるマウントを備えている、
ことを特徴とする方法。
【請求項１８】  前記組立工程は、前記ブラケットを組み立てる際に前記複数の構成部材の全部より少ない構成部材を連結する工程を含むことを特徴とする請求項１７に記載の方法。